(57)【要約】      （修正有）【課題】赤外線領域の光で映像を表示できるシミュレーター用の表示装置を提供すること。【解決手段】シミュレーター１，１ａとしての表示装置１０，１０ａは、赤外線を発光するＬＥＤである赤外線ＬＥＤを含む画素を複数備え、複数の赤外線ＬＥＤで映像を表示する表示部と、映像信号に基づいて、表示部に映像を表示させる信号処理部とを備える。【選択図】図１
2019139076.tif 000002
【特許請求の範囲】
【請求項１】
赤外線を発光するＬＥＤである赤外線ＬＥＤを含む画素を複数備え、複数の前記赤外線ＬＥＤで映像を表示する表示部と、
映像信号に基づいて、前記表示部に映像を表示させる信号処理部と
を備える、表示装置。
【請求項２】
前記信号処理部は、前記映像信号を輝度信号へ変換し、変換することによって得られた輝度信号によって、前記表示部の複数の前記赤外線ＬＥＤのいずれかを発光させ、
前記表示部は、前記輝度信号にしたがって、複数の前記赤外線ＬＥＤのいずれかを発光させる、請求項１に記載の表示装置。
【請求項３】
前記画素は、可視光を発光するＬＥＤである可視光ＬＥＤを含む、請求項１又は請求項２に記載の表示装置。
【請求項４】
前記信号処理部は、前記映像信号によって、前記表示部の複数の前記可視光ＬＥＤのいずれかを発光させ、
前記表示部は、前記映像信号にしたがって、複数の前記可視光ＬＥＤのいずれかを発光させる、請求項３に記載の表示装置。
【請求項５】
前記信号処理部は、前記表示部が複数のユニットで構成される場合に、複数の前記ユニットの各々で表示する映像を生成する、請求項１から請求項４のいずれか一項に記載の表示装置。
【発明の詳細な説明】
【技術分野】
【０００１】
本発明の実施形態は、表示装置に関する。
【背景技術】
【０００２】
ＬＥＤ(light emitting diode)ディスプレイやシミュレーター用のＬＥＤディスプレイは、人が肉眼で直接映像を見るため、画素を構成するＲＧＢの各色は可視光を発光するＬＥＤを使用している。
【０００３】
ＬＥＤディスプレイに関して、各画素の発光サイドに、赤色の光を発光するＬＥＤと、緑色の光を発光するＬＥＤと、青色の光を発光するＬＥＤとに加えて、赤外線発光ダイオードを入れる技術が知られている（例えば、特許文献１参照）。この技術は、普通の画像に重畳させて、他の画像データを表示させたり、光通信に利用したりすることを想定している。
また、映像表示と光通信とを同時に行う技術が知られている（例えば、特許文献２参照）。
【先行技術文献】
【特許文献】
【０００４】
【特許文献１】特開平９−１２７９１３号公報
【特許文献２】特開２００５−２１５３６号公報
【発明の概要】
【発明が解決しようとする課題】
【０００５】
夜間や暗闇で、作業の訓練などを行うために、シミュレーターを利用する場合には、暗視メガネなどの暗視装置を通して映像を見る必要がある。このため、このようなシミュレーターでは、赤外線領域の光で映像を表示しなければならない。
本発明は、このような事情を考慮してなされたものであり、赤外線領域の光で映像を表示できるシミュレーター用の表示装置を提供することを目的とする。
【課題を解決するための手段】
【０００６】
本発明の一態様は、赤外線を発光するＬＥＤである赤外線ＬＥＤを含む画素を複数備え、複数の前記赤外線ＬＥＤで映像を表示する表示部と、映像信号に基づいて、前記表示部に映像を表示させる信号処理部とを備える、表示装置である。
【発明の効果】
【０００７】
本発明の実施形態によれば、赤外線領域の光で映像を表示できるシミュレーター用の表示装置を提供できる。
【図面の簡単な説明】
【０００８】
【図１】第１の実施形態のシミュレーターの一例を示す図である。
【図２】第１の実施形態のシミュレーターの表示装置の一例を示す図である。
【図３】第１の実施形態の表示装置の単位ユニットに含まれる画素の一例を示す図である。
【図４】第１の実施形態の表示装置の画素の一例を示す図である。
【図５】第１の実施形態の表示装置を示すブロック図である。
【図６】第１の実施形態の表示装置が表示する映像の一例を示す。
【図７】第２の実施形態の表示装置の画素の一例を示す図である。
【図８】第２の実施形態の表示装置を示すブロック図である。
【発明を実施するための形態】
【０００９】
次に、本実施形態の表示装置を、図面を参照しつつ説明する。以下で説明する実施形態は一例に過ぎず、本発明が適用される実施形態は、以下の実施形態に限られない。
なお、実施形態を説明するための全図において、同一の機能を有するものは同一符号を用い、繰り返しの説明は省略する。
また、本願でいう「ＸＸに基づく」とは、「少なくともＸＸに基づく」ことを意味し、ＸＸに加えて別の要素に基づく場合も含む。また、「ＸＸに基づく」とは、ＸＸを直接に用いる場合に限定されず、ＸＸに対して演算や加工が行われたものに基づく場合も含む。「ＸＸ」は、任意の要素（例えば、任意の情報）である。
【００１０】
（第１の実施形態）
（シミュレーター）
図１は、第１の実施形態のシミュレーターの一例を示す図である。
第１の実施形態のシミュレーター１は、夜間などの暗闇で、暗視装置を装着した者（以下「使用者」という）に、その暗視装置を介して、周辺の物体や、状況を目視させる。これによって、暗闇の中で、使用者が、物体を認識し、作業することをシミュレートすることを可能にする。暗視装置は、物体から放射または反射される赤外線を検出し、検出した赤外線を可視光に変換して表示する。暗視装置の一例は、暗視メガネ、暗視ゴーグルなどである。
【００１１】
シミュレーターは、表示装置１０と、制御装置１１と、操作装置１２と、暗視装置１３とを備える。図１には、使用者１４も示されている。
表示装置１０は、使用者１４の前（使用者１４が見ている方向）に設置され、制御装置１１が出力した映像信号（映像入力信号）を処理することによって、使用者１４が実際に作業を行う場所の周囲の環境の映像を映し出す。表示装置１０の一例は、赤外線領域の光を発光するＬＥＤ（以下「赤外線ＬＥＤ」という）を含む画素を複数備える。
制御装置１１は、ＰＣ、ワークステーションなどの端末装置によって実現される。制御装置１１は、表示装置１０に表示する映像を表す情報を記憶し、記憶した映像を表す情報を含む映像入力信号を、表示装置１０へ出力する。
【００１２】
操作装置１２は、表示装置１０に、映像を、再生させたり、停止させたり、左右上下にスクロールさせたり、表示内容を切り替えさせたりするための操作ボタンやスイッチを備える。操作装置１２は、使用者の操作に応じて、映像の再生と、映像の停止と、映像の左右上下へのスクロールと、表示内容の切り替えとのうち、いずれかを行わせるための命令信号を、制御装置１１へ出力する。制御装置１１は、操作装置１２が出力した命令信号を取得し、取得した命令信号に応じて、映像を加工する。制御装置１１は、加工した映像を表す情報を含む映像入力信号を、表示装置１０へ出力する。表示装置１０は、制御装置１１が出力した映像入力信号を受信し、受信した映像入力信号を処理することによって、映像を表示する。
【００１３】
暗視装置１３は、赤外線を検出した場合に、検出した赤外線を可視光へ変換する。暗視装置１３を装着した使用者１４が表示装置１０に表示されている映像を見た場合に、暗視装置１３が、表示装置１０に表示されている赤外線ＬＥＤによって表されている映像を、可視光によって表される映像へ変換する。このため、使用者１４は、可視光によって表される映像を視認できる。
暗視装置１３には、アクティブ方式のものと、パッシブ方式のものとがある。アクティブ方式の暗視装置１３は、暗視装置１３から赤外線を、表示装置１０に表示されている被写体に照射して、その反射光を入力とするものである。パッシブ方式の暗視装置１３は、アクティブ方式とは異なり、赤外線を照射せず、物体が発する赤外線や、暗視装置１３とは別の光源が発した光であって、物体が反射した光を可視光へ変換して、目視できるようにしたものである。第１の実施形態では、パッシブ方式の暗視装置１３を適用した場合について、説明を続ける。この場合、表示装置１０は、赤外線で、映像を表示する。
【００１４】
一例として、暗視装置１３を装着した使用者が、夜間に車を運転するシミュレートを行うことを想定して説明する。この場合、操作装置１２は、ドライビングシミュレーターのように、ステアリングハンドル、アクセルペダル、ブレーキペダル、シフトレバーなどの操作機能を備える。
制御装置１１は、使用者１４が走行する際に見ると想定される現場の映像を表す情報を記憶している。制御装置１１は、その映像を表す情報を含む映像入力信号を、表示装置１０へ送信する。
表示装置１０は、制御装置１１が送信した映像入力信号を受信し、受信した映像入力信号に含まれる映像を表す情報を処理することによって、映像を表示する。
使用者１４は、暗視装置１３を装着し、装着した暗視装置１３を介して、表示装置１０に表示された映像を見る。表示装置１０に表示された映像は、赤外線ＬＥＤが点灯することによって表されている。このため、使用者１４は、暗視装置１３で、赤外線によって表された映像が変換された可視光によって表された映像を目視することができる。
【００１５】
操作装置１２は、使用者１４の操作に応じて、操作に応じた右折、左折、加速、ブレーキなどの命令信号を作成し、作成した命令信号を、制御装置１１へ送信する。制御装置１１は、命令信号を受信し、受信した命令信号にしたがって、表示装置１０に表示する映像の向きや、表示する速さをリアルタイムで演算する。制御装置１１は、演算した結果に基づいて、表示装置１０に表示する映像を表す情報を含む映像入力信号を作成し、作成した映像入力信号を、表示装置１０へ出力する。表示装置１０は、制御装置１１が出力した映像入力信号を受信し、受信した映像入力信号に含まれる映像を表す情報を処理することによって、映像を表示する。
【００１６】
以下、第１の実施形態のシミュレーターに含まれる表示装置１０について説明する。
図２は、第１の実施形態のシミュレーターの表示装置の一例を示す図である。表示装置１０は、表示部２０を備える。表示部２０の一例は、水平方向に２４００個の画素と、垂直方向に１４４０個の画素とを備える。つまり、表示部２０は、画面全体で、３４５６０００個（２４００個×１４４０個）の画素を備える。
しかし、３４５６０００個の画素を実装したプリント基板を一枚で構成することは難しい。このため、第１の実施形態の表示装置１０の表示部２０は、縦３個横５個の合計１５個の単位ユニット２１ａ−単位ユニット２１ｏに分割される。以下、単位ユニット２１ａ−単位ユニット２１ｏのうち、任意の単位ユニットを単位ユニット２１と記載する。
【００１７】
図３は、第１の実施形態の表示装置の単位ユニットに含まれる画素の一例を示す図である。単位ユニット２１は、複数の画素３１を含む。図３に示される例では、単位ユニット２１は、縦４８０個の画素３１、横４８０個の画素３１で構成される。つまり、単位ユニット２１は、全体で、２３０４００個（４８０個×４８０個）の画素を備える。
図４は、第１の実施形態の表示装置の画素の一例を示す図である。
画素３１は、赤外線ＬＥＤ４１をパッケージにしたものである。
【００１８】
図５は、第１の実施形態の表示装置を示すブロック図である。図５は、赤外線ＬＥＤ４１をパッケージにした画素３１を複数含む表示部２０を備える表示装置１０の信号処理部５０を示すブロック図が示される。
表示装置１０の信号処理部５０は、制御回路６１と、入力信号処理部６２と、画像処理部６３と、ドライバーＩ／Ｆ６４と、タイミング処理部６５と、マトリクスＬＥＤドライバー６６と、ＬＥＤマトリクス６７とを備える。
制御回路６１は、信号処理部５０の各ブロックの動作モードの設定や各ブロックの状態確認などの制御を行う。具体的には、制御回路６１は、入力信号処理部６２と、画像処理部６３と、ドライバーＩ／Ｆ６４と、タイミング処理部６５とに対して、動作モードの設定や、状態確認などを行う。制御回路６１は、入力信号処理部６２と、画像処理部６３と、ドライバーＩ／Ｆ６４と、タイミング処理部６５とへ、制御信号を出力する。
【００１９】
入力信号処理部６２は、制御装置１１が出力した映像入力信号を受信する。ここで、映像入力信号は、ＲＧＢ信号、色差信号、白黒の輝度信号、アナログ信号、デジタル信号などである。以下、映像入力信号の一例として、入力信号処理部６２へ、ＲＧＢ信号が出力される場合について説明を続ける。この場合、入力信号処理部６２は、受信したＲＧＢ信号を、映像データと同期信号とに分岐する。入力信号処理部６２は、映像データを画像処理部６３へ出力し、同期信号(Sync)を画像処理部６３とタイミング処理部６５とへ出力する。
画像処理部６３は、複数のインターフェース回路を備え、複数のインターフェース回路の各々は、異なる信号形態の入力信号を受信する。画像処理部６３は、制御回路６１が出力した制御信号にしたがって、複数のインターフェース回路のうち、入力信号処理部６２が出力する信号を受信できるインターフェースを選択する。具体的には、画像処理部６３は、制御回路６１が出力する制御信号を取得し、取得した制御信号にしたがって、ＲＧＢ信号を受信できるインターフェースを選択する。
【００２０】
画像処理部６３は、入力信号処理部６２が出力したＲＧＢ信号を取得し、取得したＲＧＢデータを、制御回路６１が出力した制御信号にしたがって処理することによって、画質調整やガンマ調整を行う。また、画像処理部６３は、表示部２０の構成に応じて、表示部２０が複数の単位ユニット２１で構成される場合には、その複数の単位ユニット２１の各々で表示するＲＧＢデータを作成する。さらに、赤外線ＬＥＤには、白黒の映像データが出力されるため、画像処理部６３は、制御回路６１が出力する制御信号にしたがって、ＲＧＢデータを、映像データ（輝度信号）へ変換する。画像処理部６３は、ＲＧＢデータを変換することによって得られた映像データ（輝度信号）を、ドライバーＩ／Ｆ６４へ出力する。
【００２１】
ドライバーＩ／Ｆ６４は、画像処理部６３が出力した映像データ（輝度データ）を取得し、取得した映像データ（輝度データ）を、マトリクスＬＥＤドライバー６６へ出力する。
タイミング処理部６５は、入力信号処理部６２が出力した同期信号を取得し、取得した同期信号にしたがって、タイミング信号を生成する。タイミング処理部６５は、制御回路６１が出力する制御信号にしたがって、生成したタイミング信号を、マトリクスＬＥＤドライバー６６へ出力する。ここで、マトリクスＬＥＤドライバー６６へ出力されるタイミング信号は、赤外線ＬＥＤ４１を駆動するための信号である。
【００２２】
マトリクスＬＥＤドライバー６６は、ドライバーＩ／Ｆ６４が出力する映像データと、タイミング処理部６５が出力するタイミング信号とを取得し、取得した映像データと、タイミング信号とに基づいて、表示部２０の各画素を構成する赤外線ＬＥＤ４１を駆動する。マトリクスＬＥＤドライバー６６は、ドライバーＩ／Ｆ６４が出力した映像データを、各画素の諧調データとし、タイミング処理部６５が出力したタイミング信号を基準として、諧調データから実際に赤外線ＬＥＤ４１を駆動するためのＰＷＭ（パルス幅変調）信号を生成する。
また、マトリクスＬＥＤドライバー６６は、タイミング処理部６５が出力したタイミング信号から、ＰＷＭ信号を、対応する赤外線ＬＥＤ４１に正しく割り当てるための走査信号を生成する。マトリクスＬＥＤドライバー６６は、生成したＰＷＭ信号と走査信号とを、ＬＥＤマトリクス６７へ出力する。
ＬＥＤマトリクス６７には、画素３１が実装されている。画素３１は、赤外線ＬＥＤ４１をパッケージにしたものである。ＬＥＤマトリクス６７は、マトリクスＬＥＤドライバー６６が出力した走査信号によって、点灯する赤外線ＬＥＤ４１が順次切り替えられる。また、ＬＥＤマトリクス６７は、マトリクスＬＥＤドライバー６６が出力したＰＷＭ信号によって、赤外線ＬＥＤ４１を駆動する。
【００２３】
前述した実施形態では、パッシブ方式の暗視装置１３を適用した場合について説明したが、この例に限られない。例えば、アクティブ方式の暗視装置１３を適用してもよい。この場合、制御装置１１は、表示装置１０に表示させる映像を、アクティブ方式の暗視装置１３の作業を想定した場合と、パッシブ方式の暗視装置１３の作業を想定した場合との間で、変更してもよい。具体的には、表示装置１０は、物体に照射される光の具合を変更するようにしてもよい。
図６は、第１の実施形態の表示装置１０が表示する映像の一例を示す。
図６の左図は、アクティブ方式の暗視装置１３の作業を行う場合に、使用者が見ると想定される物体の一例を示す。この例では、光（赤外線）は、使用者が装着した暗視装置１３から照射されるので、物体の影は見えない。
図６の右図は、パッシブ方式の暗視装置１３の作業を行う場合に、使用者が見ると想定される物体の一例を示す。この例では、光（赤外線）は、左上側から照射されているので、物体の影が見える。表示装置１０に表示させる映像を、アクティブ方式の暗視装置１３の作業を想定した場合と、パッシブ方式の暗視装置１３の作業を想定した場合との間で、変更することによって、実際に近いシミュレーションが可能になる。
【００２４】
前述した第１の実施形態では、表示装置１０は、表示部２０を備え、表示部２０が、水平方向に２４００個の画素と、垂直方向に１４４０個の画素とを備える場合について説明したが、この限りでない。例えば、表示部が備える画素の数については、任意の数を適用できる。
前述した第１の実施形態では、表示装置１０の表示部２０を、複数の単位ユニットに分割した場合について説明したが、この限りでない。例えば、表示装置１０の表示部２０を、分割しないで構成してもよい。
前述した第１の実施形態では、表示装置１０の表示部２０が、単位ユニット２１ａ−単位ユニット２１ｏに分割される場合について説明したが、この例に限られない。例えば、表示装置１０の表示部２０に含まれる単位ユニットの数は、解像度や、画面サイズや、アスペクトの違いによって、変更可能である。また、単位ユニットの画素に含まれる赤外線ＬＥＤ４１のサイズや、赤外線ＬＥＤ４１同士の縦横の間隔（画素ピッチ）も変更可能できる。このように構成することによって、解像度や、画面サイズや、視認距離（画面を見るときの画面からの距離）の違う画面を構成できるため、設置環境（特に広さ）に応じた画面にできる。
前述した第１の実施形態では、使用者が操作装置１２を操作することによって、その操作装置１２が出力した命令信号にしたがって、制御装置１１が、表示装置１０に表示する映像を変更する場合について説明したが、この例に限られない。例えば、使用者の位置、動き、向きなどの使用者の状態を検出する検出装置を用意する。検出装置は、使用者の状態を検出し、検出した使用者の状態を示す情報を、制御装置１１へ出力する。制御装置１１は、検出装置が出力した使用者の状態を示す情報を取得し、取得した使用者の状態を示す情報に基づいて、表示装置１０に表示する映像を変更するようにしてもよい。
【００２５】
前述した実施形態では、表示装置１０が、使用者１４の前（使用者１４が見ている方向）に設置される場合について説明したが、この例に限られない。例えば、表示装置１０を、使用者１４の前に加えて、左右上下後に設置してもよい。つまり、使用者１４は、表示装置１０で囲まれる。このように構成することによって、使用者１４は前方だけを見ている必要はなく、使用者１４が向く方向に必ず表示装置１０が設置されているので、使用者１４が実作業空間にいて、作業や行動をしているような空間を作ることができる。
前述した第１の実施形態では、入力信号処理部６２が、制御装置１１が出力したＲＧＢ信号を受信する場合について説明したが、この例に限られない。例えば、ＲＧＢ信号の代わりに、入力信号処理部６２は、色差信号、白黒の輝度信号、アナログ信号、デジタル信号などを受信してもよい。この場合、入力信号処理部６２は、入力された信号に応じた処理を行う。
【００２６】
第１の実施形態のシミュレーターによれば、表示装置１０が、赤外線ＬＥＤを含む画素を複数備え、複数の赤外線ＬＥＤで映像を表示する表示部と、映像信号に基づいて、表示部に映像を表示させる信号処理部とを備える。このように構成することによって、赤外線で映像を表示できるので、赤外線領域の光で映像を表示できるシミュレーター用の表示装置を提供できる。
また、信号処理部５０は、映像信号を輝度信号へ変換し、変換することによって得られた輝度信号によって、表示部２０の複数の赤外線ＬＥＤのいずれかを発光させ、表示部２０は、輝度信号にしたがって、複数の赤外線ＬＥＤのいずれかを発光させる。このように構成することによって、赤外線によって映像を表示することができる。
信号処理部５０は、表示部２０が複数の単位ユニット２１で構成される場合に、複数の単位ユニット２１の各々で表示する映像を生成する。このように構成することによって、表示装置１０の画面が大きくなった場合でも、赤外線によって映像を表示できる。
【００２７】
（第２の実施形態）
（シミュレーター）
第２の実施形態のシミュレーター１ａの一例は、図１を適用できる。ただし、表示装置１０の代わりに、表示装置１０ａを備える点で、第１の実施形態とは異なる。
第２の実施形態のシミュレーター１ａは、昼間などの明るみで、周辺の物体や、状況を目視させることによって、使用者が、物体を認識し、作業することをシミュレートすることを可能にする。
また、シミュレーター１ａは、夜間などの暗闇で、暗視装置を装着した使用者に、その暗視装置を介して、周辺の物体や、状況を目視させることによって、暗闇の中で、使用者が、物体を認識し、作業することをシミュレートすることを可能にする。暗視装置は、物体から放射または反射される赤外線を検出し、検出した赤外線を可視光に変換して表示する。暗視装置の一例は、暗視メガネ、暗視ゴーグルなどである。
【００２８】
シミュレーター１ａは、表示装置１０ａと、制御装置１１と、操作装置１２と、暗視装置１３とを備える。図１には、使用者１４も示されている。
表示装置１０ａは、使用者１４の前（使用者１４が見ている方向）に設置され、制御装置１１が出力した映像入力信号を処理することによって、使用者１４が実際に作業を行う場所の周囲の環境の映像を映し出す。表示装置１０の一例は、可視光領域の光を発光するＬＥＤと、赤外線ＬＥＤとを含む画素を複数備える。ここで、可視光領域の光を発光するＬＥＤには、赤色の光を発光するＬＥＤ（以下「赤色ＬＥＤ」という）と、緑色の光を発光するＬＥＤ（以下「緑色ＬＥＤ」という）と、青色の光を発光するＬＥＤ（以下「青色ＬＥＤ」という）とが含まれる。
【００２９】
以下、第２の実施形態のシミュレーターに含まれる表示装置１０ａについて説明する。
第２の実施形態のシミュレーターの表示装置１０ａの表示部２０の一例は、図２を適用できる。
第２の実施形態の表示装置１０ａの単位ユニット２１に含まれる画素３１の一例は、図３を適用できる。
図７は、第２の実施形態の表示装置の画素の一例を示す図である。
画素３１は、赤外線ＬＥＤ４１と、青色ＬＥＤ４２と、緑色ＬＥＤ４３と、赤色ＬＥＤ４４とをパッケージにしたものである。
【００３０】
図８は、第２の実施形態の表示装置を示すブロック図である。図８は、赤外線ＬＥＤ４１と、青色ＬＥＤ４２と、緑色ＬＥＤ４３と、赤色ＬＥＤ４４とをパッケージにした画素３１を複数含む表示部２０を備える表示装置１０ａの信号処理部５０ａを示すブロック図が示される。
表示装置１０ａの信号処理部５０ａは、制御回路６１と、入力信号処理部６２と、画像処理部６３ａと、ドライバーＩ／Ｆ６４と、タイミング処理部６５と、マトリクスＬＥＤドライバー６６ａと、ＬＥＤマトリクス６７とを備える。マトリックスＬＥＤドライバー６６ａは、青色ＬＥＤ４２と、緑色ＬＥＤ４３と、赤色ＬＥＤ４４とを駆動する第１ドライバー６６ａ１と、赤外線ＬＥＤ４１を駆動する第２ドライバー６６ａ２とを含む。
【００３１】
暗視装置１３を使用しないで、肉眼で、可視光の映像を見る場合について説明する。この場合、表示装置１０ａは、青色ＬＥＤ４２と、緑色ＬＥＤ４３と、赤色ＬＥＤ４４とで、映像を表示する。マトリクスＬＥＤドライバー６６ａは、第２ドライバー６６ａ２の動作を停止させる。第１ドライバー６６ａ１は、青色ＬＥＤ４２と、緑色ＬＥＤ４３と、赤色ＬＥＤ４４とを駆動する。
画像処理部６３ａは、ＲＧＢデータを、映像データ（輝度信号）へ変換する処理は行わず、ＲＧＢデータを、ドライバーＩ／Ｆ６４へ出力する。ドライバーＩ／Ｆ６４は、画像処理部６３ａが出力したＲＧＢデータを、マトリクスＬＥＤドライバー６６ａの第１ドライバー６６ａ１へ出力する。
マトリクスＬＥＤドライバー６６ａの第１ドライバー６６ａ１は、ドライバーＩ／Ｆ６４が出力する映像データとタイミング処理部６５が出力するタイミング信号とを取得し、取得した映像データとタイミング信号とに基づいて、表示部２０ａの各画素を構成する青色ＬＥＤ４２と、緑色ＬＥＤ４３と、赤色ＬＥＤ４４とを駆動する。
【００３２】
暗視装置１３を使用して、赤外線の映像を見る場合について説明する。この場合、表示装置１０ａは、赤外線ＬＥＤ４１が発光する赤外線で、映像を表示する。マトリクスＬＥＤドライバー６６ａは、第１ドライバー６６ａ１の動作を停止させる。第２ドライバー６６ａ２は、赤外線ＬＥＤ４１を駆動する。
画像処理部６３ａは、ＲＧＢデータを、映像データ（輝度信号）へ変換する処理を行い、映像データ（輝度信号）を、ドライバーＩ／Ｆ６４へ出力する。ドライバーＩ／Ｆ６４は、画像処理部６３ａが出力した映像データを、マトリクスＬＥＤドライバー６６ａの第２ドライバー６６ａ２へ出力する。
マトリクスＬＥＤドライバー６６ａの第２ドライバー６６ａ２は、ドライバーＩ／Ｆ６４が出力する映像データとタイミング処理部６５が出力するタイミング信号とを取得し、取得した映像データとタイミング信号とに基づいて、表示部２０の各画素３１を構成する赤外線ＬＥＤ４１を駆動する。
【００３３】
第２の実施形態では、表示装置１０ａが、赤外線ＬＥＤ４１と、青色ＬＥＤ４２と、緑色ＬＥＤ４３と、赤色ＬＥＤ４４とをパッケージにした画素３１を含む表示部２０を備える場合について説明したが、この例に限られない。例えば、表示装置１０ａが、赤外線ＬＥＤ４１と、青色ＬＥＤ４２と、緑色ＬＥＤ４３と、赤色ＬＥＤ４４とをパッケージにした画素３１に加え、青色ＬＥＤ４２と、緑色ＬＥＤ４３と、赤色ＬＥＤ４４とをパッケージにした画素３１を含む表示部を備えるようにしてもよい。
【００３４】
前述した第２の実施形態では、表示装置１０ａは、表示部２０を備え、表示部２０が、水平方向に２４００個の画素と、垂直方向に１４４０個の画素とを備える場合について説明したが、この限りでない。例えば、表示部が備える画素の数については、任意の数を適用できる。
前述した第２の実施形態では、表示装置１０ａの表示部２０を、複数の単位ユニットに分割した場合について説明したが、この限りでない。例えば、表示装置１０ａの表示部２０を、分割しないで構成してもよい。
前述した第２の実施形態では、表示装置１０ａの表示部２０が、単位ユニット２１ａ−単位ユニット２１ｏに分割される場合について説明したが、この例に限られない。例えば、表示装置１０ａの表示部２０に含まれる単位ユニットの数は、解像度や、画面サイズや、アスペクトの違いによって、変更可能である。また、単位ユニットの画素に含まれる赤外線ＬＥＤ４１、青色ＬＥＤ４２、緑色ＬＥＤ４３、赤色ＬＥＤ４４のうち、少なくとも一つサイズや、画素同士の縦横の間隔（画素ピッチ）も変更可能できる。このように構成することによって、解像度や、画面サイズや、視認距離（画面を見るときの画面からの距離）の違う画面を構成できるため、設置環境（特に広さ）に応じた画面にできる。
前述した第２の実施形態では、使用者が操作装置１２を操作することによって、その操作装置１２が出力した命令信号にしたがって、制御装置１１が、表示装置１０ａに表示する映像を変更する場合について説明したが、この例に限られない。例えば、使用者の位置、動き、向きなどの使用者の状態を検出する検出装置を用意する。検出装置は、使用者の状態を検出し、検出した使用者の状態を示す情報を、制御装置１１へ出力する。制御装置１１は、検出装置が出力した使用者の状態を示す情報を取得し、取得した使用者の状態を示す情報に基づいて、表示装置１０ａに表示する映像を変更するようにしてもよい。
【００３５】
前述した第２の実施形態では、表示装置１０ａが、使用者１４の前（使用者１４が見ている方向）に設置される場合について説明したが、この例に限られない。例えば、表示装置１０ａを、使用者１４の前に加えて、左右上下後に設置してもよい。つまり、使用者１４は、表示装置１０ａで囲まれる。このように構成することによって、使用者１４は前方だけを見ている必要はなく、使用者１４が向く方向に必ず表示装置１０ａが設置されているので、使用者１４が実作業空間にいて、作業や行動をしているような空間を作ることができる。
前述した第２の実施形態では、入力信号処理部６２が、制御装置１１が出力したＲＧＢ信号を受信する場合について説明したが、この例に限られない。例えば、ＲＧＢ信号の代わりに、入力信号処理部６２は、色差信号、白黒の輝度信号、アナログ信号、デジタル信号などを受信してもよい。この場合、入力信号処理部６２は、入力された信号に応じた処理を行う。
【００３６】
第２の実施形態のシミュレーターによれば、表示装置１０ａが、赤外線ＬＥＤを含む画素を複数備え、複数の赤外線ＬＥＤで映像を表示する表示部と、映像信号に基づいて、表示部に映像を表示させる信号処理部とを備える。このように構成することによって、赤外線で映像を表示できるので、赤外線領域の光で映像を表示できるシミュレーター用の表示装置を提供できる。
また、信号処理部５０は、映像信号を輝度信号へ変換し、変換することによって得られた輝度信号によって、表示部２０の複数の赤外線ＬＥＤのいずれかを発光させ、表示部２０は、輝度信号にしたがって、複数の赤外線ＬＥＤのいずれかを発光させる。このように構成することによって、可視光で映像を表示できるので、可視光領域の光で映像を表示できるシミュレーター用の表示装置を提供できる。
また、画素３１は、可視光を発光するＬＥＤである可視光ＬＥＤを含む。このように構成することによって、可視光によって映像を表示することができる。
【００３７】
また、信号処理部５０ａは、映像信号によって、表示部の複数の前記可視光ＬＥＤのいずれかを発光させ、表示部２０は、映像信号にしたがって、複数の可視光ＬＥＤのいずれかを発光させる。このように構成することによって、可視光によって映像を表示することができる。
信号処理部５０ａは、表示部２０が複数の単位ユニット２１で構成される場合に、複数の単位ユニット２１の各々で表示する映像を生成する。このように構成することによって、表示装置１０の画面が大きくなった場合でも、赤外線によって映像を表示できる。
【００３８】
以上、本発明の実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更、組合わせを行うことができる。これら実施形態及びその変形例は、発明の範囲や要旨に含まれると同時に、特許請求の範囲に記載された発明とその均等の範囲に含まれるものである。
【符号の説明】
【００３９】
１、１ａ…シミュレーター、  １０、１０ａ…表示装置、  １１…制御装置、  １２…操作装置、  １３…暗視装置、  １４…使用者、  ２０…表示部、  ２１…単位ユニット、  ３１…画素、  ４１…赤外線ＬＥＤ、  ４２…青色ＬＥＤ、  ４３…緑色ＬＥＤ、  ４４…赤色ＬＥＤ、  ６１…制御回路、  ６２…入力信号処理部、  ６３、６３ａ…画像処理部、  ６４…ドライバーＩ／Ｆ、  ６５…タイミング処理部、６６、６６ａ…マトリクスＬＥＤドライバー、  ６７…ＬＥＤマトリクス
【図１】
2019139076.tif 000003
【図２】
2019139076.tif 000004
【図３】
2019139076.tif 000005
【図４】
2019139076.tif 000006
【図５】
2019139076.tif 000007
【図６】
2019139076.tif 000008
【図７】
2019139076.tif 000009
【図８】
2019139076.tif 000010